(57)【要約】【課題】固化前のコンクリート表面のセメントペーストを平準化する作業を容易且つ的確に行うことができ、汎用性にも優れた床面施工具を提供する。【解決手段】床面施工具１０は、作業者が手で握持可能な柄部材１１と、柄部材１１の先端部１１ａに柄部材１１と直角に交差した状態に取り付けられた支持部材１２と、支持部材１２に着脱可能に取り付けられた矩形板状の均し部材１３とを備えている。柄部材１１は固定部１１ｔと、固定部１１ｔに対しスライド可能に装着された伸縮部１１ｓとを備えている。支持部材１２は横断面がＣ字状をした長尺の弾性材料で形成され、その内側には、均し部材１３の一方の長辺部を挟持可能な溝１２ｔを有している。均し部材１３は弾性変形可能な発泡合成樹脂材で形成され、可撓性、伸縮性を有している。【選択図】図１
2020122325.tif 000002
【特許請求の範囲】
【請求項１】
作業者が手で握持可能な柄部材と、前記柄部材の先端部に前記柄部材と交差した状態に取り付けられた支持部材と、前記支持部材に取り付けられた矩形板状の均し部材と、を備え、
前記均し部材の材質が、弾性変形機能を有する多孔質合成樹脂材若しくは発泡合成樹脂材である床面施工具。
【請求項２】
前記支持部材が、前記均し部材の一方の長辺部を挟持可能な溝を有する請求項１記載の床面施工具。
【請求項３】
前記柄部材が伸縮可能である請求項１または２記載の床面施工具。
【請求項４】
前記柄部材に対して前記支持部材が着脱可能である請求項１〜３の何れかの項に記載の床面施工具。
【請求項５】
建物の床部分に打設されたコンクリートの表面を平面状に均す工程と、
前記コンクリートが固化する前に、前記コンクリートの表面に沿って請求項１〜４の何れかの項に記載の床面施工具を滑動させる工程と、を備えた床面施工法。
【発明の詳細な説明】
【技術分野】
【０００１】
本発明は、土木建設工事や土木建築工事などにおいて、建物の床部分に打設され、表面が均された後、固化前のコンクリートの表面に現れるセメントペーストを平準化する作業などに使用される床面施工具に関する。
【背景技術】
【０００２】
物の床部分に打設され固化前のコンクリート面の凹凸を均す作業においては、従来、「トンボ」と呼ばれる均し具が使用されている。「トンボ」は、矩形状をした板材の中央に柄が取り付けられたＴ字状の器具であり、作業者が手で柄を把持し、板材の長辺部分をコンクリート面に当接させた状態で動かすことにより、均し作業が行われている。
【０００３】
一方、このような均し具については、様々な改良を加えたものが提案されているが、本発明に関連するものとして、例えば、特許文献１に記載された「打設コンクリートの均し具」がある。この「打設コンクリートの均し具」は、長尺長方形の薄板であって全面に板面を貫通した多数の小孔を有する基板部と、その一方の長辺側中央に固定されて基板部と共にＴ字状をなす長尺棒状の柄などによって構成されている。
【０００４】
特許文献１に記載された「打設コンクリートの均し具」は、従来の「トンボ」と同様の均し作業を行うことができるが、特に、基板部に多数の小孔が設けられているのでタッピング作業を効率的に行うことができるという特長がある。なお、タッピング作業とは、打設されたコンクリート面を叩いてコンクリートに含まれる骨材を沈めて表面側にノロと呼ばれる軟質のセメントペーストを浮かせる作業をいう。
【先行技術文献】
【特許文献】
【０００５】
【特許文献１】特開２０１７−１０６２１８号公報
【発明の概要】
【発明が解決しようとする課題】
【０００６】
前述したように、特許文献１に記載された「打設コンクリートの均し具」においては、コンクリート面と当接する基板部に多数の小孔が設けられているのでタッピング作業を効率的に行うことができるが、建物の床部分に打設され、表面が平面状に均された後、固化前のコンクリート面に現れるセメントペーストを平準化する作業には不向きである。
【０００７】
そこで、本発明が解決しようとする課題は、建物の床部分に打設され、表面が平面状に均された後、固化前のコンクリートの表面に現れるセメントペーストを平準化する作業を容易且つ的確に行うことができ、汎用性にも優れた床面施工具及びこれを用いた床面施工法を提供することにある。
【課題を解決するための手段】
【０００８】
本発明に係る床面施工具は、作業者が手で握持可能な柄部材と、前記柄部材の先端部に前記柄部材と交差した状態に取り付けられた支持部材と、前記支持部材に着脱可能に取り付けられた矩形板状の均し部材と、を備え、
前記均し部材の材質が、弾性変形機能を有する多孔質合成樹脂材若しくは発泡合成樹脂材であることを特徴とする。
【０００９】
前記床面施工具においては、前記均し部材を、例えば、「株式会社タイセイ」の商品名「エキスパンタイ（Ｅｘｐａｎｔａｙ）」で形成することができる。
【００１０】
前記床面施工具においては、前記支持部材が、前記均し部材の一方の長辺部を挟持可能な溝を有するものを用いることができる。
【００１１】
前記床面施工具においては、前記柄部材を伸縮可能とすることができる。
【００１２】
前記床面施工具においては、前記柄部材に対して前記支持部材を着脱可能とすることができる。
【００１３】
次に、本発明に係る床面施工法は、
建物の床部分に打設されたコンクリートの表面を平面状に均す工程と、
前記コンクリートが固化する前に、前記コンクリートの表面に沿って前述した何れかの床面施工具を滑動させる工程と、を備えたことを特徴とする。
【発明の効果】
【００１４】
本発明により建物の床部分に打設され、表面が平面状に均された後、固化前のコンクリートの表面に現れるセメントペーストを平準化する作業を容易且つ的確に行うことができ、汎用性にも優れた床面施工具及びこれを用いた床面施工法を提供することができる。
【図面の簡単な説明】
【００１５】
【図１】本発明の実施形態である床面施工具を示す斜視図である。
【図２】図１中の矢線Ａ方向から見た一部省略側面図である。
【図３】支持部材に対する均し部材の着脱手順を示す一部省略斜視図である。
【図４】本発明のその他の実施形態である床面施工具を示す斜視図である。
【図５】図４中の矢線Ｃ方向から見た一部省略斜視図である。
【発明を実施するための形態】
【００１６】
以下、図１〜図３に基づいて、本発明の実施形態である床面施工具１０について説明する。図１に示すように、床面施工具１０は、作業者が手で握持可能な柄部材１１と、柄部材１１の先端部１１ａに柄部材１１と直角に交差した状態に取り付けられた支持部材１２と、支持部材１２に着脱可能に取り付けられた矩形板状の均し部材１３とを備えている。
【００１７】
床面施工具１０を構成する柄部材１１、支持部材１２並びに均し部材１３のサイズは限定しないので、作業内容や作業者の体格、体力などに応じて任意に設定することができるが、支持部材１２並びに均し部材１３の長手方向のサイズ（柄部材１１と直交する矢線Ｌ方向の長さ）は１．０ｍ〜４．０ｍ程度が好適である。
【００１８】
柄部材１１は固定部１１ｔと、固定部１１ｔに対しスライド可能に装着された伸縮部１１ｓとを備えている。伸縮部１１ｓをスライドさせることにより、柄部材１１の長さを調整することができる。また、伸縮部１１ｓを支持部材１２側に最接近するまでスライドさせれば柄部材１１全体の長さを短くすることができるので、収納、運搬などの際に便利である。また、伸縮部１１ｓは固定部１１ｔから離脱させることもできるので、長さの異なる他の伸縮部１１ｓと取り換えることも可能である。
【００１９】
柄部材１１の先端部１１ａには横断面がＬ字状の取付具１６が固着され、取付具１６が複数のネジｎで支持部材１２に取り付けられている。柄部材１１の先端部１１ａ近傍の両側面部分と取付具１６との間にはそれぞれフィン１７，１７が取り付けられている。
【００２０】
また、柄部材１１の固定部１１ｔの両側面と支持部材１２との間にはそれぞれ筋交い１４，１４が取り付けられている。筋交い１４，１４の先端部１４ａ，１４ａにはそれぞれ横断面がＬ字状の取付具１８，１８が固着され、これらの取付具１８，１８が複数のネジｎでそれぞれ支持部材１２に取り付けられている。前述した複数のネジｎを緩めれば、柄部材１１と支持部材１２とは分解可能である。
【００２１】
図２に示すように、支持部材１２は横断面がＣ字状をしたアルミニウム製の長尺の弾性材料で形成され、その内側には、均し部材１３の一方の長辺部１３ａを挟持可能な溝１２ｔを有している。均し部材１３は弾性変形可能な発泡合成樹脂材の一つである「株式会社タイセイ」の商品名「エキスパンタイ（Ｅｘｐａｎｔａｙ）」の「ＴＪ型２５」で形成されている。均し部材１３の外観はスポンジ状を呈し、可撓性、伸縮性を有している。
【００２２】
「エキスパンタイ」はポリエチレン発泡体、ブチルゴム、合成ゴム（ＥＰＤＭ）、ステンレス、ガラス繊維、塩化ビニルの長所を組み合わせた性質、機能を具備している。なお、均し部材１３の材質は限定しないので、その他の合成樹脂材料、例えば、多孔質合成樹脂材で形成することもできる。
【００２３】
均し部材１３を挟持していないときの支持部材１２の溝１２ｔの開口部１２ａの幅１２ｗは均し部材１３の板厚１３ｔより若干小さく形成されているため、支持部材１２の長辺部１３ａを溝１２ｔに収容したとき、支持部材１２の弾性復元力により、均し部材１３の両面は溝１２ｔの縁部１２ｂ，１２ｂによって押圧保持されている。
【００２４】
溝１２ｔ内に収容された均し部材１３の長辺部１３ａ寄りに部分には、横断面がコ字状をしたスペーサ１５が装着されている。スペーサ１５の外側面には、スペーサ１５の長手方向に沿って複数のリブ１５ａが形成され、スペーサ１５の内側面には、スペーサ１５の長手方向に沿って複数の突条１５ｂが形成されている。
【００２５】
スペーサ１５の複数のリブ１５ａはそれぞれ支持部材１２の内側面１２ｃに当接し、均し部材１３が溝１２ｔ内で移動したり、均し部材１３の長辺部１３ａ寄りの部分が撓んだりするのを防止している。スペーサ１５の複数の突条１５ｂはそれぞれ均し部材１３の両面を押圧し、均し部材１３からスペーサ１５が離脱するのを防止している。
【００２６】
図３に示すように、均し部材１３及びスペーサ１５に対し、矢線Ｂ方向（支持部材１２の溝１２ｔの長手方向）の外力を加えると、均し部材１３及びスペーサ１５は溝１２ｔの長手方向に沿って一体的にスライド可能であるため、均し部材１３は支持部材１２に着脱可能である。
【００２７】
本実施形態の床面施工具１０の使い方は限定しないが、例えば、固化前のコンクリート面のセメントペーストを平準化する作業に好適である。
【００２８】
具体的には、建物の床部分に打設され、表面が均された後、表面にセメントペーストが現れた状態にある固化前のコンクリートの表面に均し部材１３の長辺部１３ｂを当接させ、作業者が柄部材１１を手で把持して床面施工具１０全体をコンクリートの表面に沿って滑動させれば、コンクリートの表面に存在するセメントペーストを平準化することができる。また、床面施工具１０をコンクリートの表面に沿って滑動させることにより、コンクリートの表面に現れる浮き水（余剰水）を除去することもできる。
【００２９】
均し部材１３は適度の剛性、可撓性、伸縮性を有しているため、固化前のコンクリート表面に現れるセメントペーストの平準化作業を容易且つ的確に行うことができる。また、均し部材１３は支持部材１２に着脱可能であるため、作業内容に応じた材質の均し部材１３を取り付けることにより様々な作業に対応することができ、汎用性にも優れている。
【００３０】
次に、図４，図５に基づいて、本発明のその他の実施形態である床面施工具２０について説明する。図４に示すように、床面施工具２０は、作業者が手で握持可能な柄部材２１と、柄部材２１の先端部２１ａに柄部材２１と直角に交差した状態に取り付けられた支持部材２２と、支持部材２２に着脱可能に取り付けられた矩形板状の均し部材２３とを備えている。
【００３１】
床面施工具２０を構成する柄部材２１、支持部材２２並びに均し部材２３のサイズは限定しないので、作業内容や作業者の体格、体力などに応じて任意に設定することができるが、均し部材２３の長手方向のサイズ（柄部材２１と直交する矢線Ｌ方向の長さ）は１．０ｍ〜４．０ｍ程度が好適である。
【００３２】
柄部材２１の先端部２１ａには横断面がＬ字状の取付具２６が固着され、この取付具２６をネジｎで支持部材２２に取り付けることにより、柄部材２１と支持部材２２とが着脱可能に連結されている。
【００３３】
図５に示すように、支持部材２２には、アルミニウム製の四角筒材の一面の一部（両方の端部２２ａを除く領域）を削除することによって矩形状の開口部２２ｂが形成され、この開口部２２ｂから支持部材２２の内部に向かって、均し部材２３の一方の長辺部２３ｃ側が着脱可能に差し込まれている。
【００３４】
均し部材２３は弾性変形可能な発泡合成樹脂材の一つである「株式会社タイセイ」の商品名「エキスパンタイ（Ｅｘｐａｎｔａｙ）」の「ＴＪ型２５」で形成されている。均し部材２３はスポンジ状の外観を呈し、可撓性、伸縮性を有している。前述したように、「エキスパンタイ」はポリエチレン発泡体、ブチルゴム、合成ゴム（ＥＰＤＭ）、ステンレス、ガラス繊維、塩化ビニルの長所を組み合わせた性質、機能を具備している。なお、均し部材２３の材質は限定しないので、その他の合成樹脂材料、例えば、多孔質合成樹脂材で形成することもできる。
【００３５】
開口部２２ｂの幅２２ｗ（支持部材２２を横断する方向のサイズ）は、均し部材２３の板厚２３ｔ未満であるため、開口部２２ｂから支持部材２２内に差し込まれた均し部材２３の長辺部２３ｃ側は、その弾性復元力により開口部２２ｂに係止され、作業中に離脱することはない。
【００３６】
図５において、均し部材３２の厚さ２３ｔは１５ｍｍ〜３０ｍｍ程度で、均し部材３２の幅（矢線Ｗ方向のサイズ）は１５０ｍｍ〜２５０ｍｍ程度が好適であるが、これに限定するものではない。
【００３７】
本実施形態の床面施工具２０の使い方は限定しないが、例えば、固化前のコンクリートの表面に現れるセメントペーストを平準化する作業に好適である。
【００３８】
具体的には、建物の床部分に打設され、表面が均された後、表面にセメントペーストが現れた状態にある固化前のコンクリートの表面に均し部材２３の長辺部２３ｄを当接させ、作業者が柄部材２１を手で把持して床面施工具２０全体をコンクリートの表面に沿って滑動させれば、コンクリートの表面に存在するセメントペーストを平準化することができる。
【００３９】
一方、固化前のコンクリートの表面に浮き水（余剰水）が現れた場合も、均し部材２３の長辺部２３ｄを当接させた状態で床面施工具２０をコンクリートの表面に沿って滑動させれば、コンクリートの表面の浮き水（余剰水）を除去することができる。
【００４０】
なお、図１〜図５に基づいて説明した床面施工具１０，２０は、本発明に係る床面施工具の例示するものであり、本発明に係る床面施工具は前述した床面施工具１０，２０に限定されない。
【産業上の利用可能性】
【００４１】
本発明の床面施工具は、建物の床部分に打設された後、固化前のコンクリート表面のセメントペーストを平準化したり、浮き水（余剰水）を除去したりする作業に使用する器具として、土木建設業や土木建築業などの産業分野において広く利用することができる。
【符号の説明】
【００４２】
１０，２０  床面施工具
１１，２１  柄部材
１１ａ，２１ａ  先端部
１１ｔ  固定部
１１ｓ  伸縮部
１２，２２  支持部材
１２ａ，２２ｂ  開口部
１２ｂ  縁部
１２ｃ  内側面
１２ｔ  溝
１２ｗ，２２ｗ  幅
１３  均し部材
１３ａ，１３ｂ，２３ｃ，２３ｄ  長辺部
１３ｔ，２３ｔ  板厚
１４  筋交い
１５  スペーサ
１５ａ  リブ
１５ｂ  突条
１６，１８  取付具
１７  フィン
２２ａ  端部
ｎ  ネジ
【図１】
2020122325.tif 000003
【図２】
2020122325.tif 000004
【図３】
2020122325.tif 000005
【図４】
2020122325.tif 000006
【図５】
2020122325.tif 000007